(57)【特許請求の範囲】
【請求項１】
タッチパネル式のディスプレイと、
印刷に関する設定項目と、前記設定項目において設定された設定内容に応じた態様の印刷開始指示ボタンと、を前記ディスプレイに表示させる制御部と、
前記印刷開始指示ボタンが操作されたことに応じて印刷を開始する印刷部と、
を備え、
前記制御部は、複数の設定項目において設定内容が変更された場合に、前記複数の設定項目の中で予め決められた通知優先順位が低い順の一部の設定項目において設定された設定内容に応じない態様の前記印刷開始指示ボタンを表示させる印刷装置。
【請求項２】
タッチパネル式のディスプレイと、
印刷に関する設定項目と、前記設定項目において設定された設定内容に応じた態様の印刷開始指示ボタンと、を前記ディスプレイに表示させる制御部と、
前記印刷開始指示ボタンが操作されたことに応じて印刷を開始する印刷部と、
を備え、
前記ディスプレイに前記印刷開始指示ボタンとともに表示されていない設定項目の設定内容に応じた態様の前記印刷開始指示ボタンを表示させる印刷装置。
【請求項３】
タッチパネル式のディスプレイと、
画像読取に関する設定項目と、前記設定項目において設定された設定内容に応じた態様の画像読取開始指示ボタンと、を前記ディスプレイに表示させる制御部と、
前記画像読取開始指示ボタンが操作されたことに応じて画像の読み取りを開始する画像読取部と、
を備え、
前記制御部は、複数の設定項目において設定内容が変更された場合に、前記複数の設定項目の中で予め決められた通知優先順位が低い順の一部の設定項目において設定された設定内容に応じない態様の前記画像読取開始指示ボタンを表示させる画像読取装置。
【請求項４】
タッチパネル式のディスプレイと、
画像読取に関する設定項目と、前記設定項目において設定された設定内容に応じた態様の画像読取開始指示ボタンと、を前記ディスプレイに表示させる制御部と、
前記画像読取開始指示ボタンが操作されたことに応じて画像の読み取りを開始する画像読取部と、
を備え、
前記ディスプレイに前記画像読取開始指示ボタンとともに表示されていない設定項目の設定内容に応じた態様の前記画像読取開始指示ボタンを表示させる画像読取装置。
【請求項５】
印刷に関する設定項目と、前記設定項目において設定された設定内容に応じた態様の印刷開始指示ボタンと、をタッチパネル式のディスプレイに表示させる表示制御機能を印刷装置に実現させ、
前記表示制御機能は、複数の設定項目において設定内容が変更された場合に、前記複数の設定項目の中で予め決められた通知優先順位が低い順の一部の設定項目において設定された設定内容に応じない態様の前記印刷開始指示ボタンを表示させる制御プログラム。
【請求項６】
印刷に関する設定ボタンと、前記設定ボタンにおいて設定された設定内容に応じた態様の印刷開始指示ボタンと、をタッチパネル式のディスプレイに表示させる表示制御機能を印刷装置に実現させ、
前記ディスプレイに前記印刷開始指示ボタンとともに表示されていない設定ボタンの設定内容に応じた態様の前記印刷開始指示ボタンを表示させる制御プログラム。
【請求項７】
画像読取に関する設定項目と、前記設定項目において設定された設定内容に応じた態様の画像読取開始指示ボタンと、をタッチパネル式のディスプレイに表示させる表示制御機能を画像読取装置に実現させ、
前記表示制御機能は、複数の設定項目において設定内容が変更された場合に、前記複数の設定項目の中で予め決められた通知優先順位が低い順の一部の設定項目において設定された設定内容に応じない態様の前記画像読取開始指示ボタンを表示させる制御プログラム。
【請求項８】
画像読取に関する設定ボタンと、前記設定ボタンにおいて設定された設定内容に応じた態様の画像読取開始指示ボタンと、をタッチパネル式のディスプレイに表示させる表示制御機能を画像読取装置に実現させ、
前記ディスプレイに前記画像読取開始指示ボタンとともに表示されていない設定ボタンの設定内容に応じた態様の前記画像読取開始指示ボタンを表示させる制御プログラム。
【発明の詳細な説明】
【技術分野】
【０００１】
本発明は、印刷装置、画像読取装置、印刷装置の制御プログラム、画像読取装置の制御プログラムに関する。
【背景技術】
【０００２】
従来、タッチパネル式のディスプレイを備え、当該ディスプレイとは別にスタートボタン（印刷開始指示ボタン）を備えた印刷装置が知られている（例えば特許文献１）。また、タッチパネル式のディスプレイにスタートボタンを表示することも知られている。
【先行技術文献】
【特許文献】
【０００３】
【特許文献１】特開２０１２−１２９８３６号公報
【発明の概要】
【発明が解決しようとする課題】
【０００４】
しかし、ディスプレイとは別にスタートボタンを配置する構成の場合、ディスプレイ上で設定操作をした後、ディスプレイからスタートボタンまでユーザーは指を移動させる必要があり、設定後速やかにスタートボタンを押下しにくく不便であった。一方ディスプレイにスタートボタンを表示する構成の場合、ディスプレイのサイズが同一であるとすると、スタートボタンをディスプレイ外に配置する構成と比較して、スタートボタン以外の情報を表示する領域が狭くなる。ディスプレイに表示させるボタン（スタートボタンや、各設定項目の設定ボタン）は人が指でタッチ操作をしやすい程度の面積よりも小さくすることはできないため、ディスプレイにスタートボタンを表示する構成の場合、画面に一度に表示できる設定項目数（設定ボタンの個数）がディスプレイ外にスタートボタンを配置する構成と比較すると少なくなる。そのため、ユーザーは設定を行ったり既に設定した内容を再度確認したりする際、目的の設定項目を表示させるために頻繁にスクロール操作したり画面を切り換えたりしなければならず、使い勝手が悪い。
本発明は、印刷装置および画像読み取り装置の設定画面の使い勝手を向上させることを目的とする。
【課題を解決するための手段】
【０００５】
上記目的を達成するための印刷装置は、タッチパネル式のディスプレイと制御部とを備える。そして制御部は、印刷に関する設定項目と、当該設定項目において設定された設定内容に応じた態様の印刷開始指示ボタンと、をディスプレイに表示させる。
本発明によると、印刷開始指示ボタンに、従来の印刷開始指示を受け付けるＧＵＩ（Graphic User Interface）のボタンとしての機能に加え、印刷に関する設定項目の設定内容の通知機能を持たせたことで、ディスプレイの画面の限られたスペースを効果的に使用することができる。また、設定操作を行った後、印刷開始指示ボタンをタップする際に印刷開始指示ボタンの態様によってユーザーは設定内容を認識することができるため、例えば設定間違いや設定忘れをユーザーは印刷開始指示ボタンをタップする前に気づくことができ、印刷ミスを防止することができる。その結果、設定画面の使い勝手を向上させることができる。
【図面の簡単な説明】
【０００６】
【図１】プリンターの構成を示すブロック図。
【図２】（２Ａ）〜（２Ｄ）は設定画面を示す図。
【図３】（３Ａ）〜（３Ｄ）は設定画面を示す図。
【図４】（４Ａ）〜（４Ｃ）は設定画面を示す図。
【図５】（５Ａ）〜（５Ｄ）は設定画面を示す図。
【図６】（６Ａ）〜（６Ｂ）は設定画面を示す図。
【図７】（７Ａ）〜（７Ｆ）は設定画面を示す図。
【図８】（８Ａ）〜（８Ｃ）は設定画面を示す図。
【図９】設定画面を示す図。
【図１０】（１０Ａ）〜（１０Ｄ）は設定画面を示す図。
【図１１】（１１Ａ）〜（１１Ｅ）は設定画面を示す図。
【発明を実施するための形態】
【０００７】
以下、本発明の実施の形態を添付図面を参照しながら説明する。尚、各図において対応する構成要素には同一の符号が付され、重複する説明は省略される。
１．第一実施形態：
１−１．プリンターの構成：
図１は、本発明の実施形態にかかるプリンター１の構成を示すブロック図である。プリンター１は、制御部１０と印刷部２０と画像読取部３０と通信部４０とユーザーＩ／Ｆ部５０とを備え、画像読取機能を有するプリンターとして構成される。したがってプリンター１は印刷装置および画像読取装置に相当する。
【０００８】
印刷部２０は、インクジェット方式、電子写真方式など周知の印刷方式で写真用紙・普通紙・ＯＨＰシートなどの印刷媒体に印刷を実行するためのアクチュエーターやセンサーや駆動回路や機械部品を備えている。画像読取部３０は、原稿台に載置された原稿に発光し原稿からの反射光をＲＧＢの各色に分解してスキャン画像データとする周知のカラーイメージセンサーや、原稿を搬送するためのアクチュエーターや駆動回路や機械部品を備えている。
【０００９】
通信部４０は、外部機器と有線または無線で通信するための各種の通信インターフェースを含む。また、通信部４０は、プリンター１に装着された各種のリムーバブルメモリーと通信するためのインターフェースを含む。ユーザーＩ／Ｆ部５０は、タッチパネルディスプレイ５１（以降、単にディスプレイ５１と呼ぶ）や図示しないキー入力部を含む。ディスプレイ５１は、制御部１０の制御に基づいて様々な情報を表示する表示パネルと、当該表示パネルに重ねられたタッチ検出パネルとを備え、静電容量方式、抵抗膜式、光学式等の周知の方法によって人の指等のポインティングオブジェクトによるタッチ操作を検出する。そしてディスプレイ５１は、当該タッチ操作を示す情報（例えばタッチ開始位置やタッチ終了位置の座標等）を制御部１０に出力する。
【００１０】
制御部１０は、図示しないＣＰＵやＲＯＭやＲＡＭや不揮発性メモリーを備え、ＣＰＵはＲＯＭや不揮発性メモリーに記録された制御プログラム１１を、ＲＡＭや不揮発性メモリーを用いて実行することができる。当該制御プログラム１１は、ディスプレイ５１に様々な情報を表示し、ディスプレイ５１から取得したタッチ操作を示す情報に基づいてディスプレイ５１に対する操作（例えば、タップ、スワイプ、ピンチイン、ピンチアウト等を含む）を検知すると当該操作に対応する処理をプリンター１の各部を制御して実行させる機能をプリンター１に実現させるプログラムである。特に、プリンター１の設定画面において、ユーザーが設定した設定内容に応じた態様でスタートボタン（印刷開始指示ボタン、あるいは画像読取開始指示ボタンに相当する）を表示する表示制御機能が制御プログラム１１には含まれている。設定画面には複数の設定項目が提示され、ユーザーは各設定項目に対し設定内容を変更することができる。各設定項目において設定されている設定内容を示す情報は、ＲＡＭや不揮発性メモリーに記録されており、ユーザーの変更操作に応じて当該情報が書き換えられる。
【００１１】
１−２：スタートボタンの表示態様：
図２〜図８はプリンター１のディスプレイ５１に表示される画面の例を示している。これらの画面は、プリンター１のコピー機能に関する設定画面である。制御部１０は、コピー機能の設定画面の表示要求を示す操作がなされたことを検知すると、コピー機能の設定画面をディスプレイ５１に表示させる。本実施形態においては、コピー機能の設定画面は、その一部分に基本設定画面５１１または詳細設定画面を切り替え可能に表示する領域が設けられている。そしてプリンター１のコピー機能に関する複数の設定項目は基本設定画面５１１と詳細設定画面のいずれか一方に表示されるように割り振られている。基本設定画面５１１は基本設定タブ５１１ａがタップされると表示される画面である。詳細設定画面は詳細設定タブ５１２ａがタップされると表示される画面である。なお、図２〜図８の各分図は、基本設定画面５１１が選択され表示されていることを示している。
【００１２】
本実施形態において基本設定画面５１１には、両面印刷設定ボタン５１１ｂと濃度設定ボタン５１１ｃとカラー設定ボタン５１１ｄとスタートボタン５１１ｅとが含まれる。スタートボタン５１１ｅは、印刷開始指示を受け付けるためのボタンである。スタートボタン５１１ｅがタップされたことを検知すると制御部１０は、後述する各設定項目の設定内容に基づいたコピー処理を画像読取部３０と印刷部２０と通信部４０とを制御して実行する。
【００１３】
両面印刷設定ボタン５１１ｂは、両面印刷に関する設定項目に設定されている設定内容を表示する機能と、当該設定項目に対する設定内容の変更を受け付ける機能とを有するボタンである。設定内容の選択肢としては、「片面→片面」と「片面→両面」が含まれる。両面印刷設定ボタン５１１ｂがタップされたことを検知すると制御部１０は、上述の選択肢を提示し、提示された選択肢の中でユーザーがタップして選択した選択肢を設定内容としてＲＡＭに記録する。そして制御部１０は選択肢の提示を終了し、ユーザーが選択した選択内容を示す文字（例えば「片面→両面」等）を含む両面印刷設定ボタン５１１ｂを表示する。なお、両面印刷設定ボタン５１１ｂがタップされた後の上述の選択肢の提示方法に関しては、どのような態様が採用されてもよい。例えば、選択肢をポップアップ表示してもよいし、選択肢をドロップダウンリスト表示してもよいし、子階層の画面に遷移して選択肢を提示してもよいし、両面印刷設定ボタン５１１ｂをタップする回数に応じて選択内容が更新される（片面→片面、片面→両面で順に入れ替わる）構成であってもよい。
【００１４】
濃度設定ボタン５１１ｃは、印刷濃度に関する設定項目に設定されている設定内容を表示する機能と、当該設定項目に対する設定内容の変更を受け付ける機能とを有するボタンである。設定内容としては例えば、「−２」、「−１」、「±０」、「＋１」、「＋２」が選択可能である。濃度設定ボタン５１１ｃがタップされたことを検知すると制御部１０は、上述の選択肢を提示し、提示された選択肢の中でユーザーが選択した選択肢を設定内容としてＲＡＭに記録して選択肢の提示を終了し、当該設定内容を濃度設定ボタン５１１ｃに表示する。
【００１５】
カラー設定ボタン５１１ｄは、カラー印刷に関する設定項目の設定、すなわち、カラー印刷またはモノクロ印刷の選択を行うためのボタン群であり、モノクロボタン５１１ｄ１とカラーボタン５１１ｄ２とが含まれる。カラーボタン５１１ｄ２がタップされたことを検知すると制御部１０は、カラー印刷に関する設定項目の設定内容として「カラー」を示す情報をＲＡＭに記録し、モノクロボタン５１１ｄ１と比較してカラーボタン５１１ｄ２を強調表示させる。モノクロボタン５１１ｄ１がタップされたことを検知すると制御部１０は、カラー印刷に関する設定項目の設定内容として「モノクロ」を示す情報をＲＡＭに記録し、モノクロボタン５１１ｄ１をカラーボタン５１１ｄ２と比較して強調表示させる。
【００１６】
図２Ａに示すスタートボタン５１１ｅは、初期状態（デフォルトの状態）のスタートボタンを示している。図２Ａのスタートボタン５１１ｅは、両面印刷に関する設定項目には「片面→片面」が設定され、印刷濃度に関する設定項目には「±０」が設定され、カラー印刷に関する設定項目には「カラー」が設定されている（モノクロボタン５１１ｄ１と比較してカラーボタン５１１ｄ２が強調表示されている）ことを同時に示している（なお初期状態においては詳細設定画面に含まれる各設定項目の設定内容はスタートボタン５１１ｅに反映されない）。この場合、スタートボタン５１１ｅは図２Ａに示すように正方形の形状で、有彩色で表示される。なお、スタートボタン５１１ｅの中央付近のマークｍ１（正方形と正方形内の直線からなるマーク）は、当該ボタンがスタートボタンであることを示すマークである。この状態から、基本設定画面５１１あるいは詳細設定画面において様々な設定項目の設定内容が変更された場合のスタートボタン５１１ｅの表示例を以降では順に説明する。なお、設定変更により初期状態から態様が変化したスタートボタン５１１ｅは、例えば一旦スタートボタン５１１ｅがタップされてコピーが実施されると再び初期状態に戻ってよい。
【００１７】
図２Ａに示す画面がディスプレイ５１に表示されている状態で、ユーザーがモノクロボタン５１１ｄ１をタップしたことを検知すると、制御部１０は、カラー印刷に関する設定項目の設定内容をカラーからモノクロに変更し、図２Ｂに示すようにモノクロボタン５１１ｄ１を強調表示させ、スタートボタン５１１ｅの色をカラー印刷を示す有彩色からモノクロ印刷を示す無彩色に変更して表示する。
【００１８】
このように、カラー印刷に関する設定項目の設定内容に応じてスタートボタン５１１ｅの色を変更することにより、スタートボタン５１１ｅの色が変化しない構成と比較して、カラー印刷に関する設定項目の設定内容の変更が受け付けられたことをユーザーに直観的に認識させやすい。また、スタートボタン５１１ｅそのものの色が変化することにより、スタートボタン５１１ｅをタップする際に視認するスタートボタン５１１ｅの色によってカラー印刷に関する設定項目の設定内容を把握できる。そして、設定内容を把握した状態でユーザーはスタートボタン５１１ｅをタップすることができ、その結果、印刷ミスを防止できる。
【００１９】
続いて、図２Ａに示す画面がディスプレイ５１に表示されている状態で、両面印刷設定ボタン５１１ｂがタップされ、「片面→片面」から「片面→両面」に設定内容が変更されたことを検知すると制御部１０は、スタートボタン５１１ｅの色は同じ濃度の有彩色のまま変化させず、スタートボタン５１１ｅの形状を図２Ｃに示すように変化させる。具体的には制御部１０は、印刷用紙の右上隅が手前側に折り返され印刷用紙の裏面が見えることを表現したスタートボタン５１１ｅを表示する。すなわち図２Ｃのスタートボタン５１１ｅは、色は有彩色で表現されるためカラー印刷に関する設定項目において「カラー」が選択され、両面印刷に関する設定項目において「片面→両面」が選択され、印刷濃度に関する設定項目において「±０」が選択されていることを同時に表現している。
【００２０】
また、図２Ｂに示す画面が表示されている状態で両面印刷設定ボタン５１１ｂがタップされ、「片面→片面」から「片面→両面」に設定内容が変更されたことを検知すると制御部１０は、色は図２Ｂと同様の濃度の無彩色のまま変化させず、形状を図２Ｄに示すように変化させる（形状は図２Ｃと共通）。すなわち図２Ｄに示すスタートボタン５１１ｅは、カラー印刷に関する設定項目において「モノクロ」が選択され、両面印刷に関する設定項目において「片面→両面」が選択され、印刷濃度に関する設定項目において「±０」が選択されていることを同時に表現している。
【００２１】
このように、複数の設定項目の設定内容に応じた態様でスタートボタン５１１ｅを表示させてもよい。スタートボタン５１１ｅの色によって設定内容を示す設定項目と、スタートボタン５１１ｅの形状によって設定内容を示す設定項目とは、デザイン上互いに干渉しあわないため、２つの設定項目の設定内容をスタートボタンの形状と色とで表現することができる。
【００２２】
スタートボタン５１１ｅの色で設定内容を示す設定項目には、他にも印刷濃度に関する設定項目がある。図３Ｃは図２Ａと同様に、両面印刷に関する設定項目において「片面→片面」が設定され、印刷濃度に関する設定項目において「±０」が設定され、カラー印刷に関する設定項目において「カラー」が設定されている状態で基本設定画面５１１が表示されていることを示している。図３Ｃに示す画面が表示されている状態で、濃度設定ボタン５１１ｃがタップされ印刷濃度に関する設定項目の設定内容が「±０」から例えば「−１」に変更されたことを検知すると制御部１０は、有彩色のままスタートボタン５１１ｅの色を「±０」が設定されている場合のスタートボタン５１１ｅの色（図３Ｃを参照）よりも薄い色（図３Ｂを参照）で表示する。印刷濃度に関する設定項目の設定内容が「−２」に変更された場合、制御部１０は「−１」の場合の色（図３Ｂを参照）よりも薄い色（図３Ａを参照）でスタートボタン５１１ｅを表示する。印刷濃度に関する設定項目の設定内容が「＋１」に変更された場合、制御部１０は「±０」の場合の色（図３Ｃを参照）よりも濃い色（図３Ｄを参照）でスタートボタン５１１ｅを表示する。図示は省略するが、「＋２」に変更された場合に制御部１０は「＋１」の場合の色（図３Ｄを参照）よりもさらに濃い色でスタートボタン５１１ｅを表示する。このように、印刷濃度に関する設定項目の内容を変更することに伴い、スタートボタン５１１ｅの色の濃さも連動させることで、ユーザーに設定内容を認識させやすくすることができる。
【００２３】
なお、図示は省略するが、図２Ｂに示す画面が表示されている状態（カラー印刷に関する設定項目でモノクロが選択されている状態）から印刷濃度に関する設定項目の設定内容が変更された場合は、印刷濃度に関する設定項目の設定内容に連動させて無彩色のままスタートボタン５１１ｅボタンの濃度を変更してもよい。
【００２４】
ここまでは基本設定画面５１１に割り振られた設定項目の設定内容に応じたスタートボタン５１１ｅの表示態様について説明した。続いて詳細設定画面に割り振られた設定項目の設定内容に応じたスタートボタン５１１ｅの表示態様について説明する。ユーザーが詳細設定タブ５１２ａをタップしたことを検知すると制御部１０は基本設定画面５１１に代わって図示しない詳細設定画面をディスプレイ５１に表示させる。詳細設定画面には例えば、印刷部数設定ボタン、割付設定ボタン、とじ位置設定ボタン、フチ設定ボタン、用紙サイズ設定ボタン、用紙種類設定ボタン、給紙方法設定ボタン、印刷品質設定ボタン、印刷倍率設定ボタン、原稿種類設定ボタン、すかし印刷設定ボタン等（いずれも不図示）が含まれる。詳細設定画面においてはスタートボタン５１１ｅが表示されてもよいし表示されなくてもよいが、本実施形態においては詳細設定画面においてスタートボタン５１１ｅは表示されないものとして説明を行う。したがって本実施形態においては、ユーザーは詳細設定画面に含まれる設定項目の設定を行った後スタートボタンをタップするためには再び基本設定タブ５１１ａをタップして基本設定画面５１１を表示させる必要がある。
なお用紙種類とは、印刷媒体（記録媒体）の種類を意味し、例えば「普通紙」や「写真用紙」等が想定される。原稿種類とは、コピー元の原稿に含まれるコンテンツの種類を意味し、例えば、「写真」や「文字」等が想定される。
【００２５】
まず図４を参照しながら、印刷部数に関する設定項目の設定内容に応じたスタートボタン５１１ｅの表示例を説明する。図２Ａに示す画面が表示されている状態においてユーザーが詳細設定タブ５１２ａをタップし、表示された詳細設定画面において印刷部数設定ボタンをタップして印刷部数に関する設定項目の設定内容を２部または３部に変更し、基本設定タブ５１１ａをタップしたことを検知すると制御部１０は、基本設定画面５１１を表示しスタートボタン５１１ｅの外縁部の形状を図４Ａまたは図４Ｂに示すように変更する。図４Ａには印刷部数が２部に設定された場合のスタートボタン５１１ｅを示しており、図４Ｂには３部に設定された場合のスタートボタン５１１ｅを示している。具体的には、スタートボタン５１１ｅの外縁部にスタートボタン５１１ｅの外周を示す線と相似形の矩形枠線を１本追加することによって印刷部数が２部であることを示し、同じく外縁部に矩形枠線を２本追加することによって印刷部数が３部であることを示す。なお矩形枠線が多くなりすぎるとユーザーが見難くなるため、所定部数（例えば４部）以上に設定された場合は、図４Ｃに示すように、スタートボタン５１１ｅのマークｍ１の下部に部数を示す数字を表示するようにしてもよい。
【００２６】
このように、スタートボタン５１１ｅと同一画面内に表示されていない印刷部数に関する設定項目の設定内容についてもスタートボタン５１１ｅの態様に反映させることによってユーザーに認識させやすくすることができる。したがってユーザーは、印刷部数に関する設定項目の設定内容を確認するために再度詳細設定タブ５１２ａをタップして詳細設定画面を表示する必要はなく、便利である。
【００２７】
続いて図５Ａおよび図５Ｂを参照しながら、割付に関する設定項目の設定内容に応じたスタートボタン５１１ｅの表示例を説明する。図２Ａに示す画面が表示されている状態においてユーザーが詳細設定タブ５１２ａをタップし、表示された詳細設定画面において割付設定ボタンを操作して割付に関する設定項目の設定内容を変更し、基本設定タブ５１１ａをタップしたことを検知すると制御部１０は、基本設定画面５１１を表示しスタートボタン５１１ｅの形状を図５Ａまたは図５Ｂに示すように変更する。割付に関する設定項目の設定内容の選択肢としては例えば「２面割付」と「４面割付」がある。図５Ａには２面割付が設定された場合のスタートボタン５１１ｅを示している。図５Ｂには４面割付が設定された場合のスタートボタン５１１ｅを示している。具体的には、「２面割付」の場合はスタートボタン５１１ｅが２分割されたことを示しており、「４面割付」の場合は４分割されたことを示している。このように、スタートボタン５１１ｅと同一画面内に表示されていない割付に関する設定項目の設定内容についてもスタートボタン５１１ｅの態様によってユーザーに認識させやすくすることができる。
【００２８】
続いて図５Ｃおよび図５Ｄを参照しながら、とじ位置に関する設定項目の設定内容に応じたスタートボタン５１１ｅの表示例を説明する。図２Ａに示す画面が表示されている状態においてユーザーが詳細設定タブ５１２ａをタップし、表示された詳細設定画面においてとじ位置設定ボタンを操作してとじ位置に関する設定項目の設定内容を変更し、基本設定タブ５１１ａをタップしたことを検知すると制御部１０は、基本設定画面５１１を表示し基本設定画面５１１のスタートボタン５１１ｅの形状を図５Ｃまたは図５Ｄに示すように変更する。とじ位置に関する設定項目の設定内容の選択肢としては例えば「長辺とじ」と「短辺とじ」がある。図５Ｃは長辺とじが設定された場合のスタートボタン５１１ｅを示している。具体的には、正方形のスタートボタン５１１ｅを縦長の形状とし、２長辺のうちの一方の辺の近傍に当該辺と平行な破線を表示することで長辺とじを示している。図５Ｄは短辺とじが設定された場合のスタートボタン５１１ｅを示している。具体的には、正方形のスタートボタン５１１ｅを横長の形状とし、２短辺のうちの一方の辺の近傍に当該辺と平行な破線を表示することで短辺とじを示している。このように、スタートボタン５１１ｅと同一画面内に表示されていないとじ位置に関する設定項目の設定内容についてもスタートボタン５１１ｅの態様によってユーザーに認識させやすくすることができる。
【００２９】
続いて図６を参照しながら、フチに関する設定項目の設定内容に応じたスタートボタン５１１ｅの表示例を説明する。図２Ａに示す画面が表示されている状態においてユーザーが詳細設定タブ５１２ａをタップし、表示された詳細設定画面においてフチ設定ボタンを操作してフチに関する設定項目の設定内容を変更し、基本設定タブ５１１ａをタップしたことを検知すると制御部１０は、基本設定画面５１１を表示し、スタートボタン５１１ｅの形状および内部の画像を図６Ａ〜図６Ｂに示すように変更する。フチに関する設定項目の設定内容の選択肢としては「フチあり」と「フチなし」がある。図６Ａには「フチあり」が設定された場合のスタートボタン５１１ｅを示している。具体的には、ボタンの輪郭部にフチを示す領域を設け、マークｍ１に代わって写真を示す画像がボタンに表示される。図６Ｂには「フチなし」が設定された場合のスタートボタン５１１ｅを示している。具体的には、マークｍ１に代わって写真を示す画像がボタンに表示されるがボタンの輪郭部にはフチを示す領域を設けないことで「フチなし」を表現している。このように、スタートボタン５１１ｅと同一画面内に表示されていないフチに関する設定項目の設定内容についてもスタートボタン５１１ｅの態様によってユーザーに認識させやすくすることができる。
【００３０】
続いて図７Ａおよび図７Ｂを参照しながら、用紙種類に関する設定項目に応じたスタートボタン５１１ｅの表示例を説明する。図２Ａに示す画面が表示されている状態においてユーザーが詳細設定タブ５１２ａをタップし、表示された詳細設定画面において用紙種類設定ボタンを操作して用紙種類に関する設定項目の設定内容を変更し、基本設定タブ５１１ａをタップしたことを検知すると制御部１０は、基本設定画面５１１を表示し、スタートボタン５１１ｅの形状や内部の画像を図７Ａおよび図７Ｂに示すように変更する。用紙種類に関する設定項目の設定内容の選択肢としては「普通紙」、「写真用紙」等がある。図７Ａには「普通紙」が設定された場合のスタートボタン５１１ｅを示している。図７Ｂには「写真用紙」が設定された場合のスタートボタン５１１ｅを示している。
【００３１】
続いて図７Ｃおよび図７Ｄを参照しながら、給紙方法に関する設定項目に応じたスタートボタン５１１ｅの表示例を説明する。図２Ａに示す画面が表示されている状態においてユーザーが詳細設定タブ５１２ａをタップし、表示された詳細設定画面において給紙方法設定ボタンを操作して給紙方法に関する設定項目の設定内容を変更し、基本設定タブ５１１ａをタップしたことを検知すると制御部１０は、基本設定画面５１１を表示し、スタートボタン５１１ｅの形状を図７Ｃおよび図７Ｄに示すように変更する。給紙方法に関する設定項目の設定内容の選択肢としては「下トレイ」、「上トレイ」等がある。図７Ｃには「下トレイ」が設定された場合のスタートボタン５１１ｅを示している。図７Ｄには「上トレイ」が設定された場合のスタートボタン５１１ｅを示している。
【００３２】
続いて図７Ｅおよび図７Ｆを参照しながら、印刷倍率に関する設定項目に応じたスタートボタン５１１ｅの表示例を説明する。図２Ａに示す画面が表示されている状態においてユーザーが詳細設定タブ５１２ａをタップし、表示された詳細設定画面において印刷倍率設定ボタンを操作して印刷倍率に関する設定項目の設定内容を変更し、基本設定タブ５１１ａをタップしたことを検知すると制御部１０は、基本設定画面５１１を表示し、スタートボタン５１１ｅの形状を図７Ｅおよび図７Ｆに示すように変更する。印刷倍率に関する設定項目の設定内容としては拡大に相当する数値または縮小に相当する数値が設定される。図７Ｅには拡大に相当する数値が設定された場合のスタートボタン５１１ｅを示している。図７Ｆには縮小に相当する数値が設定された場合のスタートボタン５１１ｅを示している。
【００３３】
続いて図８Ａを参照しながら、印刷品質に関する設定項目に応じたスタートボタン５１１ｅの表示例を説明する。図２Ａに示す画面が表示されている状態においてユーザーが詳細設定タブ５１２ａをタップし、表示された詳細設定画面において印刷品質設定ボタンを操作して印刷品質に関する設定項目の設定内容を変更し、基本設定タブ５１１ａをタップしたことを検知すると制御部１０は、基本設定画面５１１を表示し、スタートボタン５１１ｅの形状を例えば図８Ａに示すように変更する。図８Ａに示すように塗りつぶされた星マークの位置や個数等に応じて印刷品質を表現するようにしてもよい。
なお図８Ｂは、すかし印刷に関する設定項目においてすかし印刷することが設定された場合のスタートボタン５１１ｅの表示例を示している。
なお、スタートボタン５１１ｅ内の文字によって設定内容を通知する構成が採用されてもよい。例えば図８Ｃは、用紙サイズに関する設定項目の設定内容が「Ａ４」に設定された場合のスタートボタン５１１ｅの態様を示している。マークｍ１の下に「Ａ４」の文字が表示される。
【００３４】
以上で説明したように、設定項目を設定した場合にその設定内容に応じてスタートボタン５１１ｅの態様を変更することでスタートボタン５１１ｅをタップする前にユーザーに設定内容を認識させやすくすることができる。その結果、設定間違いや設定忘れ等による印刷ミスや画像読取ミスを未然に防ぐことができ、設定画面の使い勝手を向上させることができる。
【００３５】
２．他の実施形態：
尚、本発明の技術的範囲は、上述した実施例に限定されるものではなく、本発明の要旨を逸脱しない範囲内において種々変更を加え得ることは勿論である。例えば、設定内容に応じた態様で印刷開始指示ボタンを表示させることは、設定内容に応じて、例えばボタン全体の色や、ボタンの一部の色、ボタン全体の形状、ボタンの一部の形状、ボタンとして機能させる領域の大きさや位置、ボタンの画面上での回転角度、ボタンの画面上での反転の有無、ボタンのアニメーションによる変化パターン等のうちの任意の一つまたは複数を変えることを想定してよい。
【００３６】
また、印刷物の色に関する設定項目とは、印刷物の色を変更させることに関係する設定項目であって、上記実施形態で挙げた印刷濃度に関する設定項目やカラー印刷に関する設定項目以外にも例えば、コントラスト、カラーバランス、明るさ等を想定してよい。
【００３７】
また、印刷開始指示ボタンの形状とは、ボタンの輪郭の形状、ボタンの輪郭より内側の形状のいずれも含んでよい。また、変化前のボタンの形状と相似の関係を保ったまま大きさが変化することを含んでもよい。
【００３８】
また、上記実施形態においては、複数の設定項目に関して設定内容が変更された場合であってそれらの設定項目の設定内容を示す態様がデザイン上干渉しなければ、複数の設定項目の設定内容をそれぞれ反映させたスタートボタンを表示する例を説明したが、設定項目の設定内容を示す態様がデザイン上干渉するような複数の設定項目の設定内容が変更された場合は、予め決められた通知優先順位に基づいて設定内容をスタートボタンに反映させる設定項目と反映させない設定項目とが選択されてもよい。もちろん、設定項目の設定内容を示す態様がデザイン上干渉しない場合でも、通知優先順位に基づいて設定内容をスタートボタンに反映させる設定項目と反映させない設定項目とが選択されてもよい。
【００３９】
言い換えると、複数の設定項目において設定内容が変更された場合に、複数の設定項目の中で通知優先順位が低い順の一部の設定項目の設定内容には応じない態様でスタートボタンが表示されてもよい。したがって例えば、設定が変更された複数の設定項目のうち通知優先順位が最も高い設定項目の設定内容だけをスタートボタンに反映するようにしてもよく、その場合は、設定が変更された複数の設定項目のうちの残りの設定項目の設定内容はスタートボタンに反映されない。変更された複数の設定項目のうちの全ての設定項目の設定内容に応じた態様でスタートボタンを表示すると、かえって変更した設定内容をユーザーに認識させづらくなることも考えられる。スタートボタンの態様を、ユーザーへの通知優先順位が低い順の一部の設定項目に応じない態様とすることにより、通知優先順位が最も高い設定項目の設定内容には少なくとも応じた態様で、かつ、通知優先順位が最も低い設定項目の設定内容には少なくとも応じない態様のスタートボタンが表示される。そのため、変更された複数の設定項目の例えば全てに応じた態様で表示する構成と比較すると、シンプルな態様のスタートボタンを表示することができ、ユーザーに通知優先順位の高い設定項目の設定内容を効果的に認識させることができる。
【００４０】
なお通知優先順位は、例えば複数のユーザーに対するヒアリングの結果に基づいて、設定変更を行う頻度の高い設定項目ほど通知優先順位が高くなるように予め設定されている。もちろん各ユーザーが個別に通知優先順位を変更することができてもよい。なお例えば優先順位は、高い方から順に、両面印刷に関する設定項目、濃度に関する設定項目、カラー印刷に関する設定項目、印刷倍率に関する設定項目、用紙サイズに関する設定項目、用紙種類に関する設定項目、給紙方法に関する設定項目、割付に関する設定項目、印刷品質に関する設定項目、原稿種類に関する設定項目、フチに関する設定項目の順であってもよい。したがって例えばユーザーが、カラー印刷に関する設定項目、給紙方法に関する設定項目、両面印刷に関する設定項目、印刷品質に関する設定項目の順に設定内容を変更した場合、その中で通知優先順位が最も高い両面印刷に関する設定項目の設定内容のみをスタートボタンの態様に反映させてもよい。
【００４１】
なお、通知優先順位は、スタートボタンと同一画面に表示されていない設定項目の通知優先順位がスタートボタンと同一画面に表示されている設定項目の通知優先順位よりも高くなるようにしてもよい。例えばユーザーが、カラー印刷に関する設定項目、給紙方法に関する設定項目、両面印刷に関する設定項目、印刷品質に関する設定項目の順に設定内容を変更した場合、スタートボタン５１１ｅを含んでいる基本設定画面５１１には表示されていない給紙方法に関する設定項目と印刷品質に関する設定項目のうち通知優先順位が高い給紙方法に関する設定項目の設定内容をスタートボタンの態様に反映させてもよい。もし、スタートボタンと同一画面に表示する設定項目がスクロール等により動的に変更されるような場合であれば、通知優先順位もこれに連動して動的に変更するようにしてもよい。
【００４２】
なお、スタートボタンは、上記実施形態で示したスタートボタンよりも画面に対する占有率が大きいものであってもよい。例えば、上記実施形態のスタートボタンが占有する領域よりも大きな領域に、設定内容を上記実施形態のスタートボタン５１１ｅよりも詳しく説明する説明図が表示され、当該説明図自体がスタートボタンとして機能してもよい。例えば図９のスタートボタン５１１ｆは、両面印刷に関する設定項目が「片面→両面」に設定された場合に表示される。スタートボタン５１１ｆ内には、片面から両面にコピーされることを説明する説明図が表示されていることを示している。
【００４３】
なお本発明は、スキャナーにも適用可能である。スキャナーの設定項目としては例えば、読取解像度に関する設定項目、原稿種類に関する設定項目、出力先に関する設定項目、カラー設定に関する設定項目、原稿サイズに関する設定項目、退色復元に関する設定項目、プレビューに関する設定項目等が含まれる。
【００４４】
図１０および図１１に、スキャン機能に関する設定画面例を示す。スキャン機能に関する設定画面においては基本設定画面５１１と詳細設定画面とが切り替え可能に表示される。スキャン機能の基本設定画面５１１には、例えば解像度設定ボタン５１１ｇ、出力先設定ボタン５１１ｈ、カラー設定ボタン５１１ｄ、スタートボタン５１１ｅが含まれる。スキャン機能の詳細設定画面には、例えば原稿サイズ設定ボタンや原稿種類設定ボタンや退色復元設定ボタンやプレビュー設定ボタン等が含まれる。
【００４５】
図１０Ａに、原稿サイズに関する設定項目の設定内容に応じたスタートボタン５１１ｅの表示例を示す。ユーザーが詳細設定画面において原稿サイズ設定ボタンを操作して原稿サイズに関する設定項目の設定内容を変更し、基本設定タブ５１１ａをタップしたことを検知すると制御部１０は、基本設定画面５１１において図１０Ａに示すスタートボタン５１１ｅを表示する。図１０Ａに示すスタートボタン５１１ｅは原稿台とその上に載置された原稿を表現している。原稿を示す矩形部には原稿サイズを示す「Ａ４」の文字が表示されている。設定された原稿サイズに応じて、原稿台を示す矩形部に対する原稿を示す矩形部の大きさや、原稿サイズを示す文字が変化する。
【００４６】
図１０Ｂに、原稿種類に関する設定項目の設定内容に応じたスタートボタン５１１ｅの表示例を示す。ユーザーが詳細設定画面において原稿種類設定ボタンを操作して原稿種類に関する設定項目の設定内容を変更し、基本設定タブ５１１ａをタップしたことを検知すると制御部１０は、基本設定画面５１１において図１０Ｂに示すスタートボタン５１１ｅを表示する。図１０Ｂに示すスタートボタン５１１ｅも原稿台とその上に載置された原稿を表現している。原稿を示す矩形部に含まれる複数の線によって原稿が文書であることを表現している。原稿種類として例えば写真が設定された場合は、原稿を示す矩形部に替わって写真を示す図形が表示される。
【００４７】
図１０Ｃに、退色復元に関する設定項目の設定内容に応じたスタートボタン５１１ｅの表示例を示す。ユーザーが詳細設定画面において退色復元設定ボタンを操作して退色復元に関する設定項目の設定内容を「あり」に変更し、基本設定タブ５１１ａをタップしたことを検知すると制御部１０は、基本設定画面５１１において図１０Ｃに示すスタートボタン５１１ｅを表示する。図１０Ｃに示すスタートボタン５１１ｅも原稿台とその上に載置された原稿を表現している。原稿を示す矩形部の端に輝きを示す図形を配置することによって退色復元がなされることを表現している。
なお図１０Ｄは、プレビューに関する設定項目の設定内容が「プレビューあり」に変更された場合のスタートボタン５１１ｅの表示例を示している。
【００４８】
図１１に、出力先に関する設定項目の設定内容に応じたスタートボタン５１１ｅの表示例を示す。ユーザーが出力先設定ボタン５１１ｈを操作して出力先を変更したことを検知すると制御部１０は、基本設定画面５１１のスタートボタン５１１ｅに含まれる画像を図１１Ａ〜図１１Ｅに示すように変更する。出力先に関する設定項目の設定内容の選択肢としては例えば「ＰＣ」、「Ｅメール」、「メモリーカード」、「ＵＳＢメモリー」、「プリンター」等がある。図１１Ａにはスキャンした画像データを「ＰＣ」に出力することが設定された場合のスタートボタン５１１ｅを示している。具体的には、スタートボタンを示すマークｍ１に代わってＰＣ（Personal Computer）を示す画像がスタートボタン５１１ｅ内に表示される。図１１Ｂ、図１１Ｃ、図１１Ｄ、図１１Ｅにはそれぞれ順に、画像データを「Ｅメール」に添付して送信すること、画像データを「メモリーカード」に保存すること、画像データを「ＵＳＢメモリー」に保存すること、画像データを「プリンター」で印刷すること（すなわちコピーを行うこと）が設定された場合のスタートボタン５１１ｅを示している。具体的には、スタートボタンを示すマークｍ１に代わってそれぞれ、Ｅメールを示す画像、メモリーカードを示す画像、ＵＳＢメモリーを示す画像、プリンターを示す画像がスタートボタン５１１ｅ内に表示される。
【００４９】
なお、本発明は、印刷装置の制御プログラムや画像読取装置の制御プログラムの発明としても成立する。また、印刷装置や画像読取装置を制御するＰＣ（Personal Computer）やスマートフォンやタブレット端末の制御プログラムにも本発明を適用することができる。また、請求項に記載された各部の機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。
【符号の説明】
【００５０】
１…プリンター、１０…制御部、１１…制御プログラム、２０…印刷部、３０…画像読取部、４０…通信部、５０…ユーザーＩ／Ｆ部、５１…タッチパネルディスプレイ（ディスプレイ）、５１１…基本設定画面、５１１ａ…基本設定タブ、５１１ｂ…両面印刷設定ボタン、５１１ｃ…濃度設定ボタン、５１１ｄ…カラー設定ボタン、５１１ｄ１…モノクロボタン、５１１ｄ２…カラーボタン、５１１ｅ…スタートボタン、５１１ｆ…スタートボタン、５１２ａ…詳細設定タブ、ｍ１…マーク
【図１】
0006776538.tif 000002
【図２】
0006776538.tif 000003
【図３】
0006776538.tif 000004
【図４】
0006776538.tif 000005
【図５】
0006776538.tif 000006
【図６】
0006776538.tif 000007
【図７】
0006776538.tif 000008
【図８】
0006776538.tif 000009
【図９】
0006776538.tif 000010
【図１０】
0006776538.tif 000011
【図１１】
0006776538.tif 000012